(57)【要約】【課題】立体画像を視認可能な表示装置において、立体画像の精細度の低下を抑える。【解決手段】各画素は明副画素と暗副画素とを含み、明副画素および暗副画素は、行方向および列方向に交互に配されており、位相差板１５には右円偏光領域１５Ｒと左円偏光領域１５Ｌとが形成されており、右円偏光領域１５Ｒおよび左円偏光領域１５Ｌは、液晶パネル１０を平面的に視て、明副画素に重なっている。【選択図】図５
2014006363.tif 000002
【特許請求の範囲】
【請求項１】
右眼用画像および左眼用画像を表示可能な表示パネルと、表示パネルの観察者側に設けられた位相差板とを備えた表示装置であって、
上記表示パネルは、行方向および列方向にマトリクス状に配された複数の画素を備え、
上記複数の画素のそれぞれは、少なくともある階調における輝度が相対的に高くなる第１副画素と、該輝度が相対的に低くなる第２副画素とを含み、
上記第１副画素および上記第２副画素は、行方向および列方向に交互に配されており、
上記位相差板には、偏光軸の回転方向が右方向となる右円偏光領域と、偏光軸の回転方向が左方向となる左円偏光領域とが形成されており、
上記右円偏光領域および上記左円偏光領域は、上記表示パネルを平面的に視て、上記第１副画素に重なっていることを特徴とする表示装置。
【請求項２】
上記右円偏光領域と上記左円偏光領域との境界線が、上記第２副画素に重なっていることを特徴とする請求項１に記載の表示装置。
【請求項３】
上記第１副画素および上記第２副画素のそれぞれは、斜め方向に直線状に並べられているとともに、上記第１副画素および上記第２副画素は、斜め方向の１ラインごとに交互に配されており、
上記右円偏光領域および上記左円偏光領域は、上記表示パネルを平面的に見て、上記第１副画素に重なるように、斜め方向に直線状に形成されているとともに１ラインごとに交互に配されていることを特徴とする請求項１に記載の表示装置。
【請求項４】
斜め方向に直線状に並べられた複数の上記第１副画素と、該第１副画素のそれぞれに対応する複数の上記第２副画素とで構成される複数の上記画素に、右眼用の画像または左眼用の画像が表示され、
上記右眼用の画像および上記左眼用の画像は、斜め方向の１ラインごとに交互に表示されることを特徴とする請求項１に記載の表示装置。
【請求項５】
副画素ごとに画素電極が設けられるとともに、各画素電極に対応して保持容量配線が設けられ、各保持容量配線に与えられる保持容量配線信号によって各副画素の輝度が制御されることを特徴とする請求項１〜４の何れか１項に記載の表示装置。
【請求項６】
１本の保持容量配線に与えられる保持容量配線信号は、この保持容量配線と容量を形成する画素電極への信号電位の書き込み中はレベルシフトせず、書き込みが終了するのと同期してあるいはそれ以後に、基準電位に対してプラス方向あるいはマイナス方向にレベルシフトすることを特徴とする請求項５に記載の表示装置。
【請求項７】
１つの画素に含まれる２つの画素電極の一方と容量を形成する保持容量配線と、他方と容量を形成する保持容量配線とでは、保持容量配線信号のレベルシフトの向きが逆になっていることを特徴とする請求項６に記載の表示装置。
【請求項８】
走査方向に隣り合う２つの画素の一方に含まれる１つの画素電極と、他方に含まれる１つの画素電極とが同一の保持容量配線と容量を形成していることを特徴とする請求項５に記載の表示装置。
【請求項９】
垂直走査期間は複数のサブ垂直走査期間を有し、該複数のサブ垂直走査期間は、連続する複数の奇数行または偶数行の画素を順次走査する第１サブ垂直走査期間と、該第１サブ垂直走査期間に連続し、該第１サブ垂直走査期間において飛び越された複数の偶数行または奇数行の画素を順次走査する第２サブ垂直走査期間とを含み、
複数のデータ信号線のそれぞれに供給されるデータ信号電圧は、垂直走査期間に同期して極性が正極と負極とで反転しつつ、同一列の全ての画素について極性が同一であり、かつ隣り合う列間で極性が逆転しており、
上記保持容量配線信号は、上記第１サブ垂直走査期間に選択される第ｊ走査信号線に接続された画素が有する２つの副画素の内で当該保持容量配線信号が供給される保持容量配線と関連付けられている副画素の実効電圧を上昇させるまたは降下させる作用と、上記第２サブ垂直走査期間に選択される第ｊ＋１走査信号線に接続された画素が有する２つの副画素の内で当該保持容量配線信号が供給される保持容量配線と関連付けられている副画素の実効電圧を上昇させるまたは降下させる作用とが互いに逆になる波形を有していることを特徴とする請求項８に記載の表示装置。
【請求項１０】
右眼用画像および左眼用画像を表示可能な表示パネルと、表示パネルの観察者側に設けられた位相差板とを備えた表示装置の駆動方法であって、
上記表示パネルは、行方向および列方向にマトリクス状に配された複数の画素を備え、
上記複数の画素のそれぞれは、少なくともある階調における輝度が相対的に高くなる第１副画素と、該輝度が相対的に低くなる第２副画素とを含み、
上記第１副画素および上記第２副画素は、行方向および列方向に交互に配されており、
上記位相差板には、偏光軸の回転方向が右方向となる右円偏光領域と、偏光軸の回転方向が左方向となる左円偏光領域とが形成されており、
斜め方向に直線状に並べられた複数の上記第１副画素と、該第１副画素のそれぞれに対応する複数の上記第２副画素とで構成される複数の上記画素に、右眼用の画像または左眼用の画像を表示するとともに、
上記右眼用の画像および上記左眼用の画像を、斜め方向の１ラインごとに交互に表示することを特徴とする表示装置の駆動方法。
【請求項１１】
上記表示パネルには、副画素ごとに画素電極が設けられるとともに、各画素電極に対応して保持容量配線が設けられており、
各保持容量配線に与える保持容量配線信号によって各副画素の輝度を制御することを特徴とする請求項１０に記載の表示装置の駆動方法。
【発明の詳細な説明】
【技術分野】
【０００１】
本発明は、立体画像を視認可能な表示装置、および表示装置の駆動方法に関する。
【背景技術】
【０００２】
近年、画面に表示される映像を立体的な画像として観察者に知覚させることが可能な表示装置（以下、立体画像表示装置ともいう）が提案されている。立体画像を視認可能とする方式の一つに、偏光方式がある。偏光方式は、右眼用の画像と左眼用の画像とを表示パネルに同時に表示し、観察者が偏光めがねをかけた状態で観察する方式である（例えば特許文献１）。
【０００３】
具体的には、左眼用の画像と右眼用の画像とが、表示パネルの水平方向の１ラインずつ交互に表示される。例えば、１９２０×１０８０ドットの表示パネルの場合、偶数ラインからなる１９２０×５４０ドット分が左眼用の画像表示に割り当てられ、奇数ラインからなる１９２０×５４０ドット分が右眼用の画像表示に割り当てられる。表示パネルの表示面側には、偏光フィルム（位相差板）が設けられている。
【０００４】
偏光めがねにも、同様に、偏光フィルムが貼り付けられている。左眼用に割り当てられた偶数ラインの光は、偏光めがねの左眼レンズを透過し、右眼用に割り当てられた奇数ラインの光は、偏光めがねの右目レンズを透過する。
【０００５】
これにより、観察者は、左眼が左眼用の画像だけを観察し、右眼が右眼用の画像だけを観察することにより、立体画像として認識することが可能となる。
【先行技術文献】
【特許文献】
【０００６】
【特許文献１】特開平１０−２５３８２４号公報（１９９８年９月２５日公開）
【発明の概要】
【発明が解決しようとする課題】
【０００７】
このような偏光方式の立体画像表示装置では、表示画像の精細度が低下するという問題が知られている。例えば、１９２０×１０８０ドットの表示パネルの場合、左眼用および右眼用それぞれに、１９２０×５４０ドットずつ割り当てられるため、表示される左眼用の画像および右眼用の画像それぞれの精細度が、平面画像（二次元画像）を表示する場合に比べて半分になる。このように、偏光方式の立体画像表示装置では、特に鉛直方向における精細度が低下するという問題がある。
【０００８】
本発明は、上記の問題点に鑑みてなされたものであり、その目的は、立体画像を視認可能な表示装置において、立体画像の精細度の低下を抑えることにある。
【課題を解決するための手段】
【０００９】
本発明の表示装置は、上記課題を解決するために、
右眼用画像および左眼用画像を表示可能な表示パネルと、表示パネルの観察者側に設けられた位相差板とを備えた表示装置であって、
上記表示パネルは、行方向および列方向にマトリクス状に配された複数の画素を備え、
上記複数の画素のそれぞれは、少なくともある階調における輝度が相対的に高くなる第１副画素と、該輝度が相対的に低くなる第２副画素とを含み、
上記第１副画素および上記第２副画素は、行方向および列方向に交互に配されており、
上記位相差板には、偏光軸の回転方向が右方向となる右円偏光領域と、偏光軸の回転方向が左方向となる左円偏光領域とが形成されており、
上記右円偏光領域および上記左円偏光領域は、上記表示パネルを平面的に視て、上記第１副画素に重なっていることを特徴とする。
【００１０】
上記構成では、第１副画素（明副画素）および第２副画素（暗副画素）は市松模様に配されるため、右円偏光領域および上記左円偏光領域は、斜め方向の１ラインごとに交互に形成されている（図５参照）。そして、右円偏光領域および左円偏光領域は、表示パネルを平面的に視て、第１副画素に重なっている。例えば斜め方向の奇数ラインに左眼用の画像が表示され、斜め方向の偶数ラインに右眼用の画像が表示される。
【００１１】
上記構成によれば、左眼用の画像と右眼用の画像とを、表示パネルの水平方向の１ラインずつ交互に表示する従来の立体画像表示装置の構成と比較して、左眼用のライン数および右眼用のライン数を多くすることができる。そのため、観察者に、より滑らかな（高精細な）立体画像を観察させることができる。よって、立体画像を視認可能な表示装置において、立体画像の精細度の低下を抑えることができる。
【００１２】
本発明の表示装置では、上記右円偏光領域と上記左円偏光領域との境界線が、上記第２副画素に重なっていることが好ましい。
【００１３】
これにより、クロストークを防ぐことができるため、立体画像の表示品位を高めることができる。
【００１４】
本発明の表示装置では、
上記第１副画素および上記第２副画素のそれぞれは、斜め方向に直線状に並べられているとともに、上記第１副画素および上記第２副画素は、斜め方向の１ラインごとに交互に配されており、
上記右円偏光領域および上記左円偏光領域は、上記表示パネルを平面的に見て、上記第１副画素に重なるように、斜め方向に直線状に形成されているとともに１ラインごとに交互に配されていることが好ましい。
【００１５】
本発明の表示装置では、
斜め方向に直線状に並べられた複数の上記第１副画素と、該第１副画素のそれぞれに対応する複数の上記第２副画素とで構成される複数の上記画素に、右眼用の画像または左眼用の画像が表示され、
上記右眼用の画像および上記左眼用の画像は、斜め方向の１ラインごとに交互に表示されることが好ましい。
【００１６】
本発明の表示装置では、副画素ごとに画素電極が設けられるとともに、各画素電極に対応して保持容量配線が設けられ、各保持容量配線に与えられる保持容量配線信号によって各副画素の輝度が制御される構成とすることもできる。
【００１７】
これにより、各画素において、明副画素と暗副画素を形成することができる。
【００１８】
本発明の表示装置では、１本の保持容量配線に与えられる保持容量配線信号は、この保持容量配線と容量を形成する画素電極への信号電位の書き込み中はレベルシフトせず、書き込みが終了するのと同期してあるいはそれ以後に、基準電位に対してプラス方向あるいはマイナス方向にレベルシフトする構成とすることもできる。
【００１９】
本発明の表示装置では、１つの画素に含まれる２つの画素電極の一方と容量を形成する保持容量配線と、他方と容量を形成する保持容量配線とでは、レベルシフトの向きが逆になっている構成とすることもできる。
【００２０】
本発明の表示装置では、走査方向に隣り合う２つの画素の一方に含まれる１つの画素電極と、他方に含まれる１つの画素電極とが同一の保持容量配線と容量を形成している構成とすることもできる。
【００２１】
本発明の表示装置では、
垂直走査期間は複数のサブ垂直走査期間を有し、該複数のサブ垂直走査期間は、連続する複数の奇数行または偶数行の画素を順次走査する第１サブ垂直走査期間と、該第１サブ垂直走査期間に連続し、該第１サブ垂直走査期間において飛び越された複数の偶数行または奇数行の画素を順次走査する第２サブ垂直走査期間とを含み、
複数のデータ信号線のそれぞれに供給されるデータ信号電圧は、垂直走査期間に同期して極性が正極と負極とで反転しつつ、同一列の全ての画素について極性が同一であり、かつ隣り合う列間で極性が逆転しており、
上記保持容量配線信号は、上記第１サブ垂直走査期間に選択される第ｊ走査信号線に接続された画素が有する２つの副画素の内で当該保持容量配線信号が供給される保持容量配線と関連付けられている副画素の実効電圧を上昇させるまたは降下させる作用と、上記第２サブ垂直走査期間に選択される第ｊ＋１走査信号線に接続された画素が有する２つの副画素の内で当該保持容量配線信号が供給される保持容量配線と関連付けられている副画素の実効電圧を上昇させるまたは降下させる作用とが互いに逆になる波形を有している構成とすることもできる。
【００２２】
上記構成によれば、ソースライン反転駆動を行うとともに、ゲートバスライン飛び越し走査駆動（インターレース駆動）が実現される。これにより、ソースドライバの消費電力（発熱）を抑え、また、動画性能向上のため画像書き込み周波数を上げる際にも充電率の低下を抑制することができる。
【００２３】
本発明の表示装置の駆動方法は、上記課題を解決するために、
右眼用画像および左眼用画像を表示可能な表示パネルと、表示パネルの観察者側に設けられた位相差板とを備えた表示装置の駆動方法であって、
上記表示パネルは、行方向および列方向にマトリクス状に配された複数の画素を備え、
上記複数の画素のそれぞれは、少なくともある階調における輝度が相対的に高くなる第１副画素と、該輝度が相対的に低くなる第２副画素とを含み、
上記第１副画素および上記第２副画素は、行方向および列方向に交互に配されており、
上記位相差板には、偏光軸の回転方向が右方向となる右円偏光領域と、偏光軸の回転方向が左方向となる左円偏光領域とが形成されており、
斜め方向に直線状に並べられた複数の上記第１副画素と、該第１副画素のそれぞれに対応する複数の上記第２副画素とで構成される複数の上記画素に、右眼用の画像または左眼用の画像を表示するとともに、
上記右眼用の画像および上記左眼用の画像を、斜め方向の１ラインごとに交互に表示することを特徴とする。
【００２４】
上記駆動方法によれば、立体画像を視認可能な表示装置において、立体画像の精細度の低下を抑えることができる。
【００２５】
本発明の表示装置の駆動方法では、
上記表示パネルには、副画素ごとに画素電極が設けられるとともに、各画素電極に対応して保持容量配線が設けられており、
各保持容量配線に与える保持容量配線信号によって各副画素の輝度を制御することが好ましい。
【００２６】
これにより、各画素において、明副画素と暗副画素を形成することができる。
【発明の効果】
【００２７】
本発明の表示装置は、上記第１副画素および上記第２副画素は、行方向および列方向に交互に配されており、上記位相差板には、偏光軸の回転方向が右方向となる右円偏光領域と、偏光軸の回転方向が左方向となる左円偏光領域とが形成されており、上記右円偏光領域および上記左円偏光領域は、上記表示パネルを平面的に視て、上記第１副画素に重なっている構成である。
【００２８】
本発明の表示装置の駆動方法は、斜め方向に直線状に並べられた複数の上記第１副画素と、該第１副画素のそれぞれに対応する複数の上記第２副画素とで構成される複数の上記画素に、右眼用の画像または左眼用の画像を表示するとともに、上記右眼用の画像および上記左眼用の画像を、斜め方向の１ラインごとに交互に表示する方法である。
【００２９】
これにより、立体画像を視認可能な表示装置において、立体画像の精細度の低下を抑えることができる。
【図面の簡単な説明】
【００３０】
【図１】本実施の形態に係る液晶表示装置の概略構成を示す斜視図である。
【図２】図１の液晶表示装置における液晶パネルの１つの画素を示す回路図である。
【図３】図１の液晶表示装置における液晶パネルの一部の接続関係を示す回路図である。
【図４】図１の液晶表示装置における液晶パネルの一部の表示状態を模式的に示す平面図である。
【図５】図１の液晶表示装置における液晶パネルに位相差板を重ね合わせた状態を示す平面図である。
【図６】比較例に係る液晶パネルの概略構成を示す平面図である。
【図７】比較例に係る液晶パネルに位相差板を重ね合わせた状態を示す平面図である。
【図８】図１の液晶表示装置において、平面画像（二次元画像）を表示する場合の構成を模式的に示す平面図である。
【図９】実施例１に係る液晶表示装置の概略構成を示す平面図である。
【図１０】列方向に隣接する２つの画素の概略構成を平面図である。
【図１１】実施例１に係る液晶表示装置の画素と保持容量配線との接続関係を模式的に示すとともに、ソース信号電圧の書き込み極性（図中の＋−）ならび明暗２つの副画素（図中のハッチングが暗副画素）の配置を模式的に示す図である。
【図１２】実施例１に係る液晶表示装置における各信号電圧の波形を示す図である。
【図１３】実施例１に係る液晶表示装置をソースライン反転駆動した場合のＮフレームおよびＮ＋１フレームにおけるソース信号電圧の書き込み極性の配置を示す図である。
【図１４】実施例１に係る液晶表示装置をソースライン反転駆動する場合の各信号波形を示す図である。
【図１５】実施例２に係る液晶表示装置における液晶パネルの概略構成を示す平面図である。
【図１６】図１５の液晶パネルの一部を示す回路図である。
【発明を実施するための形態】
【００３１】
本発明の一実施の形態について、図面を用いて説明する。
【００３２】
本発明の表示装置は、画面に表示される映像を立体的な画像（以下、立体画像という）として観察者に知覚させることが可能な機能を有している。
【００３３】
図１は、本実施の形態に係る液晶表示装置（表示装置）１の概略構成を示す斜視図である。液晶表示装置１は、液晶表示装置１の背面側（観察者側と反対側）から順に、バックライト１１、第１偏光板１２、画像形成部１３、第２偏光板１４、および位相差板１５を備えている。第１偏光板１２、画像形成部１３、および第２偏光板１４は、液晶パネル（表示パネル）１０を構成する。
【００３４】
バックライト１１は、液晶パネル１０における第１偏光板１２の背面側に配され、液晶パネル１０に対して光を照射する。バックライト１１は、例えば、光源としてのＬＥＤと、ＬＥＤから発せられた光を液晶パネル１０に導くための導光板とを備えている。バックライト１１の構成はこれに限定されず、周知の構成を適用することができる。
【００３５】
第１偏光板１２は、画像形成部１３のバックライト１１側に配されている。第１偏光板１２は、透過軸と、透過軸に直交する吸収軸とを有し、光源から出射された光が入射されると、透過軸の方向に平行な偏光軸の光を透過し、吸収軸の方向に平行な偏光軸の光を遮断する。ここで偏光軸の方向とは、光における電界の振動方向のことをいう。第１偏光板１２における透過軸の方向は、例えば、図１の矢印で示すように、観察者側から液晶表示装置１を見たときの水平方向に対して右斜め上の方向である。第１偏光板１２の構成はこれに限定されず、周知の構成を適用することができる。
【００３６】
画像形成部１３は、右眼用画像形成領域１３Ｒおよび左眼用画像形成領域１３Ｌを有する。右眼用画像形成領域１３Ｒおよび左眼用画像形成領域１３Ｌは、図１に示すように、画像形成部１３を斜め方向に区切った領域（ライン）であり、複数の右眼用画像形成領域１３Ｒおよび左眼用画像形成領域１３Ｌが斜め方向の１ラインごとに交互（ストライプ状）に配されている。右眼用画像形成領域１３Ｒには右眼用画像が形成され、左眼用画像形成領域１３Ｌには左眼用画像が形成される。
【００３７】
第１偏光板１２を透過した光が右眼用画像形成領域１３Ｒおよび左眼用画像形成領域１３Ｌに入射すると、右眼用画像形成領域１３Ｒを透過した光は右眼用画像の画像光（以下、「右目用画像光」という）となり、左眼用画像形成領域１３Ｌを透過した光は左眼用画像の画像光（以下、「左目用画像光」という）となる。なお、右眼用画像形成領域１３Ｒを透過した右眼用画像光、および、左眼用画像形成領域１３Ｌを透過した左眼用画像光は、それぞれ特定方向の偏光軸を有する直線偏光である。
【００３８】
第２偏光板１４は、画像生成部１３の観察者側に配されている。第２偏光板１４は、右眼画像形成領域１３Ｒを透過した右眼用画像光、および、左眼画像形成領域１３Ｌを透過した左眼用画像光が入射されると、これら両画像光のうち、偏光軸が透過軸に平行な画像光を透過し、偏光軸が吸収軸に平行な画像光を遮断する。ここで、第２偏光板１４における透過軸の方向は、例えば、図１の矢印で示すように、観察者側から液晶表示装置１を見たときの水平方向に対して左斜め上の方向である。第１偏光板１２と同様に、第２偏光板１４の構成もこれに限定されず、周知の構成を適用することができる。
【００３９】
位相差板１５は、右円偏光領域１５Ｒおよび左円偏光領域１５Ｌを有する。右円偏光領域１５Ｒおよび左円偏光領域１５Ｌには、ともに１／４波長板（１／４波長フィルム）が設けられている。右円偏光領域１５Ｒおよび左円偏光領域１５Ｌは、液晶表示装置１に対して正面の中央位置において所定の距離から観察した場合に、右円偏光領域１５Ｒに、右眼画像形成領域１３Ｒを透過した右眼用画像光が入射され、左円偏光領域１５Ｌに、左眼画像形成領域１３Ｌを透過した左眼用画像光が入射されるように、位相差板１５に設けられている。すなわち、右円偏光領域１５Ｒおよび左円偏光領域１５Ｌは、右眼用画像形成領域１３Ｒおよび左眼用画像形成領域１３Ｌに対応するように、斜め方向の１ラインごとに交互（ストライプ状）に形成されており、観察者側から見て（液晶パネル１０を平面的に見て）、右円偏光領域１５Ｒが右眼画像形成領域１３Ｒに重なり、左円偏光領域１５Ｌが左眼画像形成領域１３Ｌに重なっている。
【００４０】
また、位相差板１５は、入射された光（右眼用画像光および左眼用画像光）を、右円偏光領域１５Ｒおよび左円偏光領域１５Ｌから、偏光軸の回転方向が互いに逆方向となる円偏光として出射する。例えば、右円偏光領域１５Ｒは、入射された光（右眼用画像光）を右回りの円偏光として出射し、左円偏光領域１５Ｌは、入射された光（左眼用画像光）を左回りの円偏光として出射する。なお、円偏光には楕円偏光も含まれる。
【００４１】
上記構成を有する液晶表示装置１を観察する場合、観察者は、偏光めがね２０を着用する。偏光めがね２０は、右眼用画像透過部２０Ｒおよび左眼用画像透過部２０Ｌを有する。右眼用画像透過部２０Ｒおよび左眼用画像透過部２０Ｌには、ともに１／４波長板（１／４波長フィルム）が設けられている。また、偏光めがね２０は、１／４波長板よりも観察者側に、透過軸の方向が観察者から見て右斜め上の方向であり、吸収軸の方向が透過軸の方向に直交する方向である偏光板（図示せず）を備えている。観察者は、偏光めがね２０を着用して液晶表示装置１を観察することにより、右眼には右眼用画像光だけが入射され、左眼には左眼用画像光だけが入射される。これにより、観察者は、立体画像を認識することができる。
【００４２】
次に、液晶パネル１０および位相差板１５の具体的な構成について説明する。
【００４３】
（液晶パネル１０の構成）
液晶パネル１０は、いわゆる画素分割構造（マルチ画素構造）を有する。液晶パネル１０は、行方向および列方向（マトリクス状）に配された複数の画素のそれぞれが、少なくともある階調において互いに異なる輝度を表示する第１副画素（明副画素）および第２副画素（暗副画素）を有する。ここで、各画素において、第１副画素は、第２副画素よりも相対的に輝度が高く、第２副画素は、第１副画素よりも相対的に輝度が低くなっている。
【００４４】
図２は、液晶パネル１０の１つの画素ｐを示す等価回路図であり、図３は、液晶パネル１０の一部の接続関係を示す平面図であり、図４は、液晶パネル１０の一部の表示状態を模式的に示す平面図である。
【００４５】
図２に示すように、画素ｐには、第１副画素電極５１ａおよび第２副画素電極５１ｂが含まれている。第１副画素電極５１ａは、第１トランジスタ５６ａを介して走査信号線５２およびデータ信号線５４に接続されている。第２副画素電極５１ｂは、第２トランジスタ５６ｂを介して走査信号線５２およびデータ信号線５４に接続されている。第１副画素電極５１ａと対向電極ｃｏｍとの間には第１液晶容量Ｃｌｃ１が形成され、第２副画素電極５１ｂと対向電極ｃｏｍとの間には第２液晶容量Ｃｌｃ２が形成されている。第１副画素電極５１ａと第１保持容量配線５３ａとの間には第１保持容量ＣＳ１が形成され、第２副画素電極５１ｂと第２保持容量配線５３ｂとの間には第２保持容量ＣＳ２が形成されている。
【００４６】
第１副画素電極５１ａおよび第２副画素電極５１ｂに、共通のデータ信号線５４からソース信号電圧（表示信号電圧、データ信号）を供給しておき、その後、各トランジスタ５６ａ、５６ｂをオフ状態にした後に、第１保持容量配線５３ａおよび第２保持容量配線５３ｂの電圧を互いに異なるように変化させる。これにより、第１液晶容量Ｃｌｃ１と第２液晶容量Ｃｌｃ２とに印加される電圧が互いに異なり、１つの画素内に、輝度が相対的に高くなる明副画素と、輝度が相対的に低くなる暗副画素とが形成される。１つの画素内に明副画素と暗副画素とを形成する液晶表示装置１の具体的な構成例は後述する。
【００４７】
液晶パネル１０では、図３および図４に示すように、明副画素および暗副画素（ハッチングの副画素）が、市松模様に配される。
【００４８】
ここで、液晶パネル１０において、表示単位としての１つの絵素は、３つ（３色）の画素ｐ（Ｒ画素、Ｇ画素、およびＢ画素）を含んで構成されている。Ｒ画素は、Ｒ明副画素およびＲ暗副画素で構成され、Ｇ画素は、Ｇ明副画素およびＧ暗副画素で構成され、Ｂ画素は、Ｂ明副画素およびＢ暗副画素で構成されている。具体的には、図３および図４に示すように、絵素Ｐ１は、Ｒ１明副画素およびＲ１暗副画素、Ｇ１明副画素およびＧ１暗副画素、Ｂ１明副画素およびＢ１暗副画素で構成されている。絵素Ｐ２は、Ｒ２明副画素およびＲ２暗副画素、Ｇ２明副画素およびＧ２暗副画素、Ｂ２明副画素およびＢ２暗副画素で構成されている。
【００４９】
図３に示す絵素Ｐ１のＲ１明副画素、Ｇ１明副画素、およびＢ１明副画素は、斜め方向に直線状に並んで配されており、図３に示す絵素Ｐ２のＲ２明副画素、Ｇ２明副画素、およびＢ２明副画素は、斜め方向に直線状に並んで配されている。すなわち、液晶パネル１０において、１絵素は、斜め方向に直線状に並べられた、ＲＧＢそれぞれの明副画素と、これら明副画素に対応する、ＲＧＢそれぞれの暗副画素とで構成されている。
【００５０】
絵素Ｐ１、Ｐ２には、左眼用画像が表示される。すなわち、絵素Ｐ１、Ｐ２を含む斜め方向のラインは、左眼用画像形成領域１３Ｌ（図１参照）に対応している。
【００５１】
図３および図４に示すように、絵素Ｐ３は、Ｒ３明副画素およびＲ３暗副画素、Ｇ３明副画素およびＧ３暗副画素、Ｂ３明副画素およびＢ３暗副画素で構成されている。絵素Ｐ４は、Ｒ４明副画素およびＲ４暗副画素、Ｇ４明副画素およびＧ４暗副画素、Ｂ４明副画素およびＢ４暗副画素で構成されている。
【００５２】
図３に示す絵素Ｐ３のＲ３明副画素、Ｇ３明副画素、およびＢ３明副画素は、斜め方向に直線状に並んで配されており、図３に示す絵素Ｐ４のＲ４明副画素、Ｇ４明副画素、およびＢ４明副画素は、斜め方向に直線状に並んで配されている。絵素Ｐ３、Ｐ４には、右眼用画像が表示される。すなわち、絵素Ｐ３、Ｐ４を含む斜め方向のラインは、右眼用画像形成領域１３Ｒ（図１参照）に対応している。
【００５３】
Ｒ５画素、Ｇ５画素およびＢ５画素を含む絵素Ｐ５（図示せず）と、Ｒ６画素、Ｇ６画素およびＢ６画素を含む絵素Ｐ６（図示せず）とには、絵素Ｐ１、Ｐ２と同様に、左眼用画像が表示され、Ｒ７画素、Ｇ７画素およびＢ７画素を含む絵素Ｐ７（図示せず）と、Ｒ８画素、Ｇ８画素およびＢ８画素を含む絵素Ｐ８（図示せず）とには、絵素Ｐ３、Ｐ４と同様に、右眼用画像が表示される。すなわち、絵素Ｐ５、Ｐ６を含む斜め方向のラインは、左眼用画像形成領域１３Ｌ（図１参照）に対応しており、絵素Ｐ７、Ｐ８を含む斜め方向のラインは、右眼用画像形成領域１３Ｒ（図１参照）に対応している。
【００５４】
このように、液晶パネル１０は、明副画素および暗副画素の市松模様の配置において、明副画素が斜め方向に直線状に並ぶ１ラインごとに、左眼用画像および右眼用画像を交互（ストライプ状）に表示する。
【００５５】
（位相差板１５の構成）
液晶パネル１０の観察者側に配される位相差板１５は、上述したように、右円偏光領域１５Ｒおよび左円偏光領域１５Ｌを有している。
【００５６】
図５は、液晶パネル１０に位相差板１５を重ね合わせた状態を示す平面図である。
【００５７】
図１および図５に示すように、左円偏光領域１５Ｌは、液晶パネル１０の左眼用画像形成領域１３Ｌに重なるように位相差板１５に形成されており、右円偏光領域１５Ｒは、液晶パネル１０の右眼用画像形成領域１３Ｒに重なるように位相差板１５に形成されている。また、右円偏光領域１５Ｌおよび左円偏光領域１５Ｒは、右円偏光領域１５Ｌおよび左円偏光領域１５Ｒの境界線１５Ｓ（図５参照）が、液晶パネル１０の暗副画素に重なるように位相差板１５に形成されている。
【００５８】
よって、例えば、図５に示すように、斜め方向に直線状に並べられた、Ｒ１明副画素、Ｇ１明副画素、Ｂ１明副画素、Ｒ２明副画素、Ｇ２明副画素、Ｂ２明副画素に、位相差板１５の左円偏光領域１５Ｌが重なっており、斜め方向に直線状に並べられた、Ｒ３明副画素、Ｇ３明副画素、Ｂ３明副画素、Ｒ４明副画素、Ｇ４明副画素、Ｂ４明副画素に、位相差板１５の右円偏光領域１５Ｒが重なっている。
【００５９】
（位相差板１５の製造方法）
位相差板１５は、概略的には、フィルム製造工程、フィルムカッティング工程、フィルム貼り付け工程を含む製造工程により製造することができる。フィルム製造工程では、光配向により、ストライプ状に配向膜を処理して液晶ポリマーを塗布する。これにより、右円偏光領域１５Ｒと左円偏光領域１５Ｌとをストライプ状に形成する。フィルムカッティング工程およびフィルム貼り付け工程は、周知の方法を適用することができる。これにより、位相差板１５を製造することができる。
【００６０】
（効果）
上記の構成を有する液晶表示装置１によれば、立体画像の精細度（解像度）の低下を抑えることができる。以下、具体的に説明する。
【００６１】
図６は、液晶表示装置１と比較するための、画素分割構造（マルチ画素構造）を有する液晶パネル（表示パネル１１０）の概略構成を示す平面図である。図６に示すように、液晶パネル１１０では、明副画素および暗副画素（ハッチングの副画素）が、市松模様に配されている。
【００６２】
表示単位としての１つの絵素は、ｒ明副画素、ｒ暗副画素、ｇ明副画素、ｇ暗副画素、ｂ明副画素、ｂ暗副画素を含んで構成されている。具体的には、絵素Ｐ１０は、ｒ１明副画素およびｒ１暗副画素、ｇ１明副画素およびｇ１暗副画素、ｂ１明副画素およびｂ１暗副画素で構成されている。絵素Ｐ２０は、ｒ２明副画素およびｒ２暗副画素、ｇ２明副画素およびｇ２暗副画素、ｂ２明副画素およびｂ２暗副画素で構成されている。
【００６３】
ここで、液晶パネル１１０では、絵素Ｐ１０、Ｐ２０が水平方向に直線状に並んで配されている。すなわち、絵素Ｐ１０、Ｐ２０を含む水平方向のラインには、右眼用画像が表示される。
【００６４】
絵素Ｐ３０は、ｒ３明副画素およびｒ３暗副画素、ｇ３明副画素およびｇ３暗副画素、ｂ３明副画素およびｂ３暗副画素で構成されている。絵素Ｐ４０は、ｒ４明副画素およびｒ４暗副画素、ｇ４明副画素およびｇ４暗副画素、ｂ４明副画素およびｂ４暗副画素で構成されている。
【００６５】
ここで、液晶パネル１１０では、絵素Ｐ３０、Ｐ４０が水平方向に直線状に並んで配されている。すなわち、絵素Ｐ３０、Ｐ４０を含む水平方向のラインには、左眼用画像が表示される。
【００６６】
液晶パネル１１０の観察者側に配される位相差板１５０には、右円偏光領域１５０Ｒおよび左円偏光領域１５０Ｌが形成されている。図７に示すように、水平方向に直線状に並べられた、絵素Ｐ１０、Ｐ２０に、位相差板１５０の右円偏光領域１５Ｒが重なっており、水平方向に直線状に並べられた、絵素Ｐ３０、Ｐ４０に、位相差板１５０の左円偏光領域１５Ｌが重なっている。
【００６７】
このように、比較例に係る液晶表示装置の構成では、水平方向の奇数ラインに右眼用の画像が表示され、水平方向の偶数ラインに左眼用の画像が表示される。
【００６８】
これに対して、液晶表示装置１の構成では、図５に示すように、右円偏光領域１５Ｒおよび左円偏光領域１５Ｌが、右眼用画像形成領域１３Ｒおよび左眼用画像形成領域１３Ｌに対応するように、斜め方向の１ラインごとに交互（ストライプ状）に形成されている。すなわち、液晶表示装置１の構成では、斜め方向の奇数ラインに左眼用の画像が表示され、斜め方向の偶数ラインに右眼用の画像が表示される。そのため、液晶表示装置１の構成では、左眼用のライン数および右眼用のライン数が、表示装置１００の場合よりも多くなるため、液晶表示装置１における表示画像は、表示装置１００における表示画像よりも滑らかな画像となる。
【００６９】
以上より、液晶表示装置１の構成によれば、立体画像の精細度の低下を抑えることができる。
【００７０】
なお、液晶表示装置１では、右円偏光領域１５Ｌおよび左円偏光領域１５Ｒの境界線１５Ｓ（図５参照）が、液晶パネル１０のブラックマトリクス（図示せず）に重なるように構成されていても良い。
【００７１】
液晶表示装置１において、平面画像（二次元画像）を表示する場合は、図８に示すように、表示単位としての１つの絵素を、水平方向に並べられたＲ画素、Ｇ画素、およびＢ画素で構成すれば良い。また、液晶表示装置１において、平面画像と立体画像とを切り替えて表示する場合は、平面画像用のデータ信号と、立体画像用のデータ信号とを切り替えれば良い。
【００７２】
（画素分割構造）
次に、画素分割構造（マルチ画素構造）を有する本液晶表示装置１の実施例について説明する。以下では、特に、１つの画素内に形成される明副画素と暗副画素とにより表示を行う液晶パネル１０の具体例および駆動方法について説明する。
【００７３】
〔実施例１〕
図９は、液晶表示装置１の概略構成を示す平面図であり、図１０は、列方向に隣接する２つの画素の概略構成を平面図である。各画素の回路構成は、図２に示したとおりである。
【００７４】
液晶表示装置１は、液晶パネル１０と、データ信号線Ｓ１・・・（Ｓｉと表記することもある）にソース信号電圧を供給するソースドライバ１２０（データ信号線駆動回路）と、走査信号線Ｇ１・・・にゲート信号電圧を供給するゲートドライバ１３０（走査信号線駆動回路）と、保持容量配線ＣＳ１・・・にＣＳ電圧（保持容量配線信号）を供給するＣＳコントロール回路１４０（保持容量配線駆動回路）と、ソースドライバ１２０およびゲートドライバ１３０並びにＣＳコントロール回路１４０を制御する表示制御回路１５０とを備えている。
【００７５】
液晶パネル１０の各画素は２つの副画素を有している。図１０の第１副画素ＳＰ−１が図２に示す第１液晶容量Ｃｌｃ１および第１保持容量ＣＳ１を有しており、図１０の第２副画素ＳＰ−２が図２に示す第２液晶容量Ｃｌｃ２および第２保持容量ＣＳ２を有している。第１液晶容量Ｃｌｃ１は、第１副画素電極５１ａ、対向電極ｃｏｍ、および両者間の液晶層によって形成されており、第２液晶容量Ｃｌｃ２は、第２副画素電極５１ｂ、対向電極ｃｏｍ、および両者間の液晶層によって形成されている。対向電極ｃｏｍは２つの副画素に共通に設けられており、一般に、表示領域内の全ての画素に共通に設けられている。ただし、大型の液晶表示パネルにおいては複数の領域に分割されることもある。
【００７６】
表示制御回路１５０は、外部の信号源（例えばチューナ）から、表示すべき画像を表すデジタルビデオ信号Ｄｖと、当該デジタルビデオ信号Ｄｖに対応する水平同期信号ＨＳＹおよび垂直同期信号ＶＳＹと、表示動作を制御するための制御信号Ｄｃとを受け取り、それらの信号Ｄｖ、ＨＳＹ、ＶＳＹおよびＤｃに基づき、そのデジタルビデオ信号Ｄｖの表す画像を液晶パネル１０に表示させるための信号として、データスタートパルス信号ＳＳＰと、データクロック信号ＳＣＫと、ラッチストローブ信号ＬＳとデータ信号の極性を制御する信号ＰＯＬ、表示すべき画像を表すデジタル画像信号ＤＡと、ゲートスタートパルス信号ＧＳＰと、ゲートクロック信号ＧＣＫと、ゲートドライバ出力制御信号ＧＯＥとを生成し出力する。
【００７７】
より詳しくは、ビデオ信号Ｄｖを内部メモリで必要に応じてタイミング調整等を行った後に、デジタル画像信号ＤＡとして表示制御回路１５０から出力し、そのデジタル画像信号ＤＡの表す画像の各画素に対応するパルスからなる信号としてデータクロック信号ＳＣＫを生成し、水平同期信号ＨＳＹに基づき１水平走査期間毎に所定期間だけハイレベル（Ｈレベル）となる信号としてデータスタートパルス信号ＳＳＰを生成し、垂直同期信号ＶＳＹに基づき１フレーム期間（１垂直走査期間）毎に所定期間だけハイレベルとなる信号としてゲートスタートパルス信号ＧＳＰを生成し、水平同期信号ＨＳＹに基づきゲートクロック信号ＧＣＫを生成し、水平同期信号ＨＳＹおよび制御信号Ｄｃに基づきラッチストローブ信号ＬＳおよびゲートドライバ出力制御信号ＧＯＥを生成する。
【００７８】
上記のようにして表示制御回路１５０において生成された信号のうち、デジタル画像信号ＤＡ、ラッチストローブ信号ＬＳ、データ信号の極性を制御する信号ＰＯＬ、データスタートパルス信号ＳＳＰおよびデータクロック信号ＳＣＫは、ソースドライバ１２０に入力され、ゲートスタートパルス信号ＧＳＰ、ゲートクロック信号ＧＣＫおよびゲートドライバ出力制御信号ＧＯＥは、ゲートドライバ１３０に入力される。
【００７９】
ソースドライバ１２０は、デジタル画像信号ＤＡ、データスタートパルス信号ＳＳＰ、データクロック信号ＳＣＫ、ラッチストローブ信号ＬＳおよびデータ信号の極性を制御する信号ＰＯＬに基づき、デジタル画像信号ＤＡの表す画像の各水平走査線における画素値に相当するアナログ電圧としてデータ信号を１水平走査期間毎に順次生成し、これらのデータ信号（表示信号電圧）をデータ信号線Ｓｉにそれぞれ印加する。
【００８０】
また、ＣＳコントロール回路１４０には、ゲートクロック信号ＧＣＫおよびゲートスタートパルス信号ＧＳＰが入力される。ＣＳ用コントロール回路１４０は、ＣＳ電圧の波形を制御する。ＣＳ電圧として、１：１のデューティ比で振動する波形を有する振動電圧を用いる場合、振動の位や幅（または周期）を制御する。
【００８１】
液晶表示装置１は、上述したようにマルチ画素駆動される。すなわち、図２に示すように、第１副画素電極５１ａと、第２副画素電極５１ｂとに、共通のデータ信号線５４からソース信号電圧（表示信号電圧）を供給しておき、その後、各トランジスタ５６ａ、５６ｂをオフ状態にした後に第１保持容量配線５３ａおよび第２保持容量配線５３ｂの電圧を相互に異なるように変化させる。これにより、第１液晶容量Ｃｌｃ１と第２液晶容量Ｃｌｃ２に印加される電圧が異なり、１つの画素内に明副画素と暗副画素とを形成する。この構成では、２つの副画素電極に１本のデータ信号線からソース信号電圧を供給するため、データ信号線の数やこれらを駆動するソースドライバの数を増加させる必要がないという利点がある。
【００８２】
以下に、図１１〜図１４を参照して、液晶表示装置１にソースライン反転駆動方法を適用した例を説明する。
【００８３】
液晶表示装置１においては、例えば、マルチ画素駆動にソースライン反転駆動法を適用するとともに、ゲートバスライン飛び越し走査駆動（インターレース駆動）を行う。これにより、ソースドライバの消費電力、すなわち発熱を抑え、また、動画性能向上のため画像書き込み周波数を上げる際にも充電率の低下を抑制することができる。なお、液晶表示装置１の駆動方法は、これに限定されない。
【００８４】
なお、飛び越し走査駆動の説明において、最初に奇数行を走査し（偶数行を飛び越し）、次に偶数行を走査する例を説明するが、本発明の実施形態における飛び越し走査の順序はこれに限られず、最初に偶数行を走査し（奇数行を飛び越し）、次に、奇数行を走査してもよいことは言うまでもない。
【００８５】
図１１は、液晶表示装置１の画素と保持容量配線との接続関係を模式的に示すとともに、ソース信号電圧の書き込み極性（図中の＋−）ならび明暗２つの副画素（図中のハッチングが暗副画素）の配置を模式的に示す図であり、ソースライン反転駆動を行った状態を示している。Ｇｊ〜Ｇｊ＋３は走査信号線（ゲートバスライン）、ＣＳ−Ａ〜ＣＳ−Ｅは保持容量配線（ＣＳバスライン）、Ｓｉ〜Ｓｉ＋３はデータ信号線（ソースバスライン）を示している。図１１に示すように、液晶表示装置１においては、列ごとの書き込み極性が一定でありながら、明副画素と暗副画素とが市松模様に配置されている。
【００８６】
図１２は、液晶表示装置１における各信号電圧の波形を示しており、上から順に、保持容量配線ＣＳ−Ｂから供給されるＣＳ電圧Ｖｃｓ−Ｂ、ｉ番目のデータ信号線Ｓｉに供給されるソース信号電圧Ｖｓｉ、ｊ番目の走査信号線Ｇｊに供給されるゲート信号電圧Ｖｇｉ、ｉ番目のデータ信号線Ｓｉとｊ番目の走査信号線Ｇｊとに接続された画素が有する２つの副画素の内の保持容量配線ＣＳ−Ｂに接続された保持容量を有する副画素Ｐ−Ｂ（ｉ，ｊ）に印加される電圧Ｖｐ−Ｂ（ｉｊ）、ｊ番目の走査信号線Ｇｊに供給されるゲート信号電圧Ｖｇｊ、ｉ番目のデータ信号線とｊ＋１番目の走査信号線Ｇｊ＋１とに接続された画素が有する２つの副画素の内の保持容量配線ＣＳ−Ｂに接続された保持容量を有する副画素Ｐ−Ｂ（ｉ，ｊ＋１）に印加される電圧Ｖｐ−Ｂ（ｉｊ＋１）を示している。また、図中のＶｃｏｍは対向電圧を示しており、Ｖｐｉｘ１およびＶｐｉｘ２は各副画素の実効電圧を示している。
【００８７】
図１３は、連続する２つのフレーム（ＮフレームおよびＮ＋１フレーム）における各画素のソース信号電圧の書き込み極性を示している。液晶表示装置１においては、ソースライン反転駆動とともに、ゲートバスライン飛び越し走査駆動（インターレース駆動）を行うので、図１３においては、各フレームを２つの期間（前半２分の１フレームと後半２分の１フレーム）に分割している。２分の１フレームを「１／２フレーム」あるいは「Ｆ／２」と表記することがある。
【００８８】
図１４は、連続する２つのフレームにおいて画素がどのように走査されるかを示すための図であり、ｉ列目のデータ信号線Ｓｉに供給されるソース信号電圧と、１行目からｎ行目までの走査信号線Ｇ１〜Ｇｎに供給されるゲート信号電圧の波形を模式的に示している。この図においても、各フレームが２つの期間（前半１／２フレームと後半１／２フレーム）に分割されている。本明細書においては、フレーム内に含まれる２つの期間をサブフレームと呼ぶことにする。一般には、１フレーム期間が１垂直走査期間に対応するので、サブフレームの期間に対応する期間をサブ垂直走査期間と呼ぶことにする。なお、第１サブフレームと第２サブフレームとの長さは完全に一致するとは限らない。
【００８９】
図１３および図１４を参照して、画素の走査方法を説明する。
【００９０】
Ｎフレーム目の前半１／２フレーム（第１サブ垂直走査期間）において、例えば、奇数行の走査信号線Ｇｊにゲート信号電圧ＶｇｊがＶｇＬ（ローレベル）から一定期間ＶｇＨ（ハイレベル）となる画素データ書込パルスＰｗが、順次印加される。すなわち、１行目からｎ−１行目までの全ての奇数行の画素にソース信号電圧が書き込まれる。
【００９１】
後半の１／２フレーム（第２サブ垂直走査期間）においては、前半１／２フレームにおいて飛び越された複数の偶数行の画素を順次走査する。例えば、偶数行の走査信号線Ｇｊ＋１に、ＶｇｊがＶｇＬから一定期間ＶｇＨとなる画素データ書込パルスＰｗが順次印加される。すなわち、２行目からｎ行目までの全ての偶数行の画素にソース信号電圧が書き込まれる。
【００９２】
データ信号線Ｓｉに供給されるソース信号電圧の極性は前半１／２フレームでソース信号電圧の中央値Ｖｓｃ（一般に、Ｖｃｏｍとほぼ等しい。）に対して正極性のソース信号電圧（Ｖｓｐ）を与え、次の後半の１／２フレームでも正極性のソース信号電圧を与える。そして、（Ｎ＋１）フレーム目の前半１／２フレームではＶｓｃに対して負極性のソース信号電圧（Ｖｓｎ）を与え、次の後半の１／２フレームでも負極性のソース信号電圧を与える。データ信号線Ｓｉに隣接するＳｉ＋１に供給されるソース信号電圧はデータ信号線Ｓｉに供給されるソース信号電圧と逆の極性となる。同様にデータ信号線Ｓｉ＋２に供給されるソース信号電圧はＳｉ＋１に供給されるソース信号電圧と逆の極性となる。
【００９３】
保持容量配線ＣＳ−Ｂに供給されるＣＳ電圧Ｖｃｓ−Ｂは、一定の周期で対向電極の電圧Ｖｃｏｍに対して極性が反転する振動波形（例えば図示したような、デューティ比が１：１の矩形波）を有している。
【００９４】
走査信号線Ｇｊのゲート信号電圧がハイの時のデータ信号線Ｓｉに供給されるソース信号電圧は正極性なので、Ｐ−Ｂ（ｉ，ｊ）の電圧は正極性で書き込まれる。保持容量配線ＣＳ−Ｂに供給されるＣＳ電圧Ｖｃｓ−Ｂは、一定の周期で対向電極の電圧Ｖｃｏｍに対して極性が反転する振動波形（例えば図示したような、デューティ比が１：１の矩形波）を有しており、走査信号線Ｇｊのゲート信号電圧がローになってからの保持容量配線ＣＳ−Ｂの振動電圧Ｖｃｓ−Ｂの最初の変化は降下（例えばこの場合、正極性から負極性への変化）なので、Ｐ−Ｂ（ｉ，ｊ）の電圧は突き下げ作用を受けて降下し、副画素Ｐ−Ｂ（ｉ，ｊ）に印加される実効電圧Ｖｐｉｘ１は、Ｐｗにより書き込まれたソース信号電圧以下となり（絶対値が小さくなり）、副画素Ｐ−Ｂ（ｉ，ｊ）は暗副画素となる。
【００９５】
一方、走査信号線Ｇｊ＋１のゲート信号電圧がハイの時のデータ信号線Ｓｉの信号電圧も正極性なので、Ｐ−Ｂ（ｉ，ｊ＋１）の電圧も正極性で書き込まれる。走査信号線Ｇｊ＋１のゲート信号電圧がローになってからの保持容量配線ＣＳ−Ｂの振動電圧の最初の変化は上昇（例えばこの場合、負極性から正極性への変化）なので、Ｐ−Ｂ（ｉ，ｊ＋１）の電圧は突き上げ作用を受けて上昇し、副画素Ｐ−Ｂ（ｉ，ｊ＋１）に印加される実効電圧Ｖｐｉｘ２は、Ｐｗにより書き込まれたソース信号電圧以上となり（絶対値が大きくなり）、副画素Ｐ−Ｂ（ｉ，ｊ＋１）は明副画素となる。
【００９６】
すなわち、ＣＳ電圧は、第１サブ垂直走査期間に選択される走査信号線Ｇｊに接続された画素が有する２つの副画素の内で当該ＣＳ電圧が供給される保持容量配線と関連付けられている副画素の実効電圧を上昇させるまたは降下させる作用と、第２サブ垂直走査期間に選択される走査信号線Ｇｊ＋１に接続された画素が有する２つの副画素の内で当該ＣＳ電圧が供給される保持容量配線と関連付けられている副画素の実効電圧を上昇させるまたは降下させる作用とが互いに逆になる波形を有している。
【００９７】
ここで例示したように、ソース信号電圧の極性が互いに異なる連続する２つの垂直走査期間を含み、同じ垂直走査期間に属する第１サブ垂直走査期間および第２サブ垂直走査期間におけるソース信号電圧の極性は同じである場合には、ＣＳ電圧は、第１サブ垂直走査期間において走査信号線Ｇｊに供給されるゲート信号電圧がハイからローに変化した時点から、第２サブ垂直走査期間において走査信号線Ｇｊ＋１に供給されるゲート信号電圧がハイからローに変化する時点までの間に、極性が奇数回変化すればよい。なお、ＣＳ電圧の振動波形の鈍りを考慮して、極性反転する間隔（振動の周期の２分の１）が５Ｈ以上であることがより好ましい。またＣＳ電圧が極性反転してから、なるべく遅いタイミングでゲートオンパルスＰｗを発生することが好ましく、ゲート信号電圧がオフになった後、なるべく早くＣＳ電圧を極性反転する方が望ましい。実際には、保持容量配線の抵抗値および容量値に基づいて信号遅延をシミュレーションすることによって、対応するゲート信号電圧がオフになった時点でのＣＳ電圧の到達度が９７％以上となるように、より好ましくは９９％以上となるように、極性反転する間隔を決めるのが良い。
【００９８】
ここではＣＳ電圧として、１：１のデューティ比で振動する波形を有する振動電圧を用いるがこれに限られず、極性が奇数回変化すれば良く、従って、少なくとも１回極性が変化すればよい。ただし、上述のように保持容量配線を配置すると、例えばＷＯ２００６／０７０８２９Ａ１に記載されているように、電気的に互いに独立な複数のＣＳ幹線を設け、各ＣＳ幹線に複数の保持容量配線を接続することによって、保持容量配線を介して保持容量対向電極に印加する振動電圧の振動の周期を長くすることできるという利点が得られる。
【００９９】
上述したように、液晶表示装置１および駆動方法によれば、ソース反転駆動方法の上述の利点を得つつ、明画素と暗画素の市松模様の分布を崩すことなく、ざらつき感といった表示品位の低下を防止することができる。
【０１００】
〔実施例２〕
実施例２に係る液晶表示装置１について説明する。図１５は、実施例２に係る液晶表示装置１を構成する液晶パネル１０の構成を示す平面図であり、図１６はその等価回路図である。図１６の液晶パネル１０のアクティブマトリクス基板は、走査信号線ＧＬに接続されたトランジスタ１１２、２１２と、走査信号線ＧＬの次段となる走査信号線ＧＬ´に接続されたトランジスタ３１２とを備え、１つの画素に、画素電極１７ａ、１７ｂと、３つの容量電極２６６、２６７、２６８とを備える。容量電極２６６、２６７、２６８は、ゲート絶縁膜を介して保持容量配線ＣＳＬと重なるようにこの順に並べられ、容量電極２２６、２６７、２６８それぞれがチャネル保護膜を介して画素電極１７ｂと重なり、トランジスタ３１２のドレイン電極３０８が引き出し配線２２７を介して容量電極２６７に接続され、トランジスタ３１２のソース電極３０９がコンタクトホールを介して画素電極１７ａに接続され、容量電極２６６がコンタクトホール３１１を介して画素電極１７ｂに電気的に接続されている。容量電極２６８が引き出し配線１２７ｑおよびコンタクトホール４１１を介して画素電極１７ａに接続されている。また、トランジスタ１１２、２１２の共通ソース電極１２８はデータ信号線ＳＬに接続され、トランジスタ１１２のドレイン電極１０９は引き出し配線１２７ｐを介して容量電極２６８に接続され、トランジスタ２１２のドレイン電極２０９はコンタクトホールを介して画素電極１７ｂに接続されている。ここでは、容量電極２６８と保持容量配線ＣＳＬとの重なり部分に画素電極１７ａおよび保持容量配線ＣＳＬ間の保持容量が形成され、容量電極２６６と保持容量配線ＣＳＬとの重なり部分に画素電極１７ｂおよび保持容量配線ＣＳＬ間の保持容量が形成され、容量電極２６７と画素電極１７ｂとの重なり部分に画素電極１７ａおよび画素電極１７ｂの結合容量が形成される。
【０１０１】
図１５および図１６の液晶パネル１０を用いた液晶表示装置１では、トランジスタ１１２、２１２のＯＮ期間に、画素電極１７ａおよび画素電極１７ｂに、同一の信号電位Ｖｓ（データ信号）が書き込まれる。そして例えばＶｓがプラス極性であれば、トランジスタ１１２、２１２がＯＦＦした後にトランジスタ３１２がＯＮすると、画素電極１７ａと容量電極２６７とが電気的に接続されて画素電極１７ａのプラス電荷が容量電極２６７に移動する（正電荷放電）。これによって、画素電極１７ａの電位がＶｓから低下する一方、容量電極２６７の電位が上昇するのに伴って容量電極２６７と容量Ｃｘ（図１６参照）を形成する画素電極１７ｂの電位はＶｓから上昇する。なお、Ｖｓがマイナス極性であれば、トランジスタ１１２、２１２がＯＦＦした後にトランジスタ３１２がＯＮすると、画素電極１７ａと容量電極２６７とが電気的に接続されて画素電極１７ａのマイナス電荷が容量電極２６７に移動する（負電荷放電）。これによって、画素電極１７ａの電位がＶｓから上昇する一方、容量電極２６７の電位が低下するのに伴って容量電極２６７と容量Ｃｘを形成する画素電極１７ｂの電位はＶｓから低下する。
【０１０２】
したがって、トランジスタ３１２がＯＦＦした後の画素電極１７ａの電位をＶａ、トランジスタ３１２がＯＦＦした後の画素電極１７ｂの電位をＶｂとすれば、|Ｖｂ|≧|Ｖａ|（なお、例えば|Ｖｂ|は、Ｖｂとｃｏｍ電位＝Ｖｃｏｍとの電位差を意味する）となるため、中間調表示時には、画素電極１７ａを含む副画素を暗副画素、画素電極１７ｂを含む副画素を明副画素とし、これら１つの明副画素および１つの暗副画素の面積階調によって表示を行うことができる。これにより、液晶表示装置１の視野角特性を高めることができる。
【０１０３】
本発明は上述した実施の形態に限定されるものではなく、請求項に示した範囲で種々の変更が可能である。すなわち、請求項に示した範囲で適宜変更した技術的手段を組み合わせて得られる実施の形態についても本発明の技術的範囲に含まれる。
【産業上の利用可能性】
【０１０４】
本発明は、平面画像および立体画像を切り替えて表示可能な液晶表示装置に好適である。
【符号の説明】
【０１０５】
１      液晶表示装置（表示装置）
１０    液晶パネル（表示パネル）
１１    バックライト
１２    第１偏光板
１３    画像形成部
１３Ｌ  左眼用画像形成領域
１３Ｒ  右眼用画像形成領域
１４    第２偏光板
１５    位相差板（位相差フィルム）
１５Ｌ  左円偏光領域
１５Ｒ  右円偏光領域
１５Ｓ  境界線
２０    偏光めがね
２０Ｌ  左眼用画像透過部
２０Ｒ  右眼用画像透過部
【図１】
2014006363.tif 000003
【図２】
2014006363.tif 000004
【図３】
2014006363.tif 000005
【図４】
2014006363.tif 000006
【図５】
2014006363.tif 000007
【図６】
2014006363.tif 000008
【図７】
2014006363.tif 000009
【図８】
2014006363.tif 000010
【図９】
2014006363.tif 000011
【図１０】
2014006363.tif 000012
【図１１】
2014006363.tif 000013
【図１２】
2014006363.tif 000014
【図１３】
2014006363.tif 000015
【図１４】
2014006363.tif 000016
【図１５】
2014006363.tif 000017
【図１６】
2014006363.tif 000018